(57)【要約】【課題】  自動販売機等の機器を据付けるのに際し、基礎コンクリートを構成する角型ブロックの正確な下穴を容易に掘削する。【解決手段】  バケット型の手掘り用スコップに於いて、スコップの底面に対して側面を直角に構成することで綺麗な角型ブロックの下穴が容易に掘削できる。  グリップ２は、バケットの刃先と反対位置に前記刃先と平行に設けられる。【選択図】  図１  
0003105836.tif 000002
【実用新案登録請求の範囲】
【請求項１】
バケット型の手掘り用スコップであって、バケット１の底面３に対して側面５を直角に構成し、該バケット１の刃先４と反対位置に、前期刃先４と平行にグリップ２を設けたことを特徴とする手掘り用スコップ。
【請求項２】
前記バケット型の手掘り用スコップの、前期バケット１の刃先４と反対位置に設けられたグリップ２接して指窓８が設けられた請求項１に記載の手掘り用スコップ。
【請求項３】
バケット１の刃先４と反対位置に、前記刃先４と直角且つ底面３と平行にグリップ２を設けた請求項１に記載の手掘り用スコップ。
【考案の詳細な説明】
【技術分野】
【０００１】
この考案は、自動販売機等を据付けるための角型ブロックの基礎コンクリートを打設するのに、コンクリート打設用の型枠を用いず、直接地面に基礎コンクリートを打設するため、垂直面が綺麗な角穴を掘削することができるバケット型の手掘り用スコップに関する。
【背景技術】
【０００２】
地面に自動販売機等の機器を据付けるとき、先ず基礎コンクリートを打設し、該基礎コンクリートに設けられたアンカーボルトによって自動販売機等の機器が直接、又は調整板を介して間接に固定され据付けられている。
【０００３】
然して前記基礎コンクリートは、例えば30cm×30cm×30cm程度の角型ブロックであることが多く、このブロックの基礎コンクリートを構成するためには、
（１）別途作成した30cm×30ｃｍ×30cm角型ブロックの基礎コンクリートを所定の位置に埋設する。
（２）地面に30cm×30cm×30cmより大きな穴を掘削してから、杉板等で適宜30cm×30cm×30cmの囲い（型枠）を作り、この型枠の中にモルタルを流し込み、モルタルが固化してから型枠を外し地面の穴の空間を埋め戻す。
（３）略30cm×30cm×30cmの穴を地面に設けてその中に直接モルタルを流し込んで角型ブロックの基礎コンクリートを作るなどの方法がなされていた。
【０００４】
アンカーボルトは前記角型ブロックの基礎コンクリート上部に埋設され、これに自動販売機等の機器が調整板を介して固定されることで据付けられていた。
【０００５】
自動販売機が１台の場合は（１）の予め作成された角型ブロックの基礎コンクリートを所定の位置に埋設して使用するのが簡単であるが、例えばメーカー及び又は機種の異なった機器を多数並べて据付ける必要がある場合等では、隣接した自動販売機を同一のブロックで据付けることが困難であるために、（２）、又は（３）の方法でコンクリートの現場打ちによる角型ブロックの作成と据付がなされることが望まれる。
【０００６】
然しながら（２）は角型ブロックが綺麗に仕上がるが、手間が掛かるばかりでなく使用済み型枠の廃棄処理に問題がある。
（３）は地面に通常、剣型スコップで地面を掘り、そして該剣型スコップで地面を掘り、そして該剣型スコップで仕上げているために、例えブロックの形状が円筒型であっても共に剣型スコップの形状のために穴の輪郭が決まらず、これにモルタルを注入しても不揃いな大きさと、形状の基礎コンクリートしかできない問題があった。
【考案の開示】
【考案が解決しようとする課題】
【０００７】
この考案が解決しようとする課題は、自動販売機等を据付ための上記角型ブロックの基礎コンクリートブロックを据付ける位置で、正確且つ容易にモルタルによる現場打ちができるようにすることである。
【課題を解決するための手段】
【０００８】
この考案は、自動販売機等の当該据付位置に、正確且つ容易に角型ブロックを形成させるために、地面を掘削する（穴を掘る）手掘り用スコップをバケット型とし、該バケットに刃先を設け、且つバケットの底面に対して側面を直角に構成し、そしてバケットの刃先と反対位置に、前記刃先と平行又は直角にグリップを設けたことを特徴とする。
【考案の効果】
【０００９】
この考案の手掘り用スコップは、スコップを構成するバケット１の底面３の刃先４に対して側面５が直角に構成されているから、所定の寸法の角穴１４を正確に掘削することができ、該角穴１４にモルタルを充填固化することで容易、且つ正確に基礎コンクリートの角型ブロックが形成できるばかりでなく、下穴から土砂を効率よく掬い取ることが容易になる効果がある。
【考案を実施するための最良の形態】
【００１０】
先ず図４に示すように基礎コンクリートを設ける所定の位置に、角型ブロック相当の角穴１４を通常の剣型スコップ１０で粗堀り１２し、しかる後この考案の手掘り用スコップ１で角穴１４の隅１３に注意を払いながら直角に手掘りして仕上げる。
【実施例１】
【００１１】
図１はこの考案の１実施例の斜視図であって請求項１の態様を示している。
因みにこの考案の１実施例ではバケット状スコップ１は、厚さ１．６mmの鉄板で作られ、幅１０５mm、長さ１５０mm、深さ５０mm、グリップ２の直径３８mmである。
そして側面５が底面３に対して直角に設けられている。
【００１２】
角型ブロック２０の作成に際しては図４に示すように、先ず地面の所定の位置を角型に罫書１１いてからその内側を剣型スコップ１０で粗堀り１２する。
【００１３】
そして図５に示すようにこの考案の手掘り用スコップ１で罫書１１の通り、角穴１４の隅部分１３を直角に丁寧に掘って角型ブロック２０のモルタル注入用の下穴とする。下穴の底面も、手掘り用スコップ１によって仕上げられる。
【００１４】
このとき該手掘り用スコップ１の  刃先４は鋸歯状又は連続した台状の切込み６が設けられ、掘削時の抵抗が低減されるようになっている。
そして必要に応じて刃先４には若干の掬い角７が設けられる。
又必要に応じて図１に示すように前記バケット型の手掘り用スコップの、前記バケット１の刃先４と反対位置にグリップ２に接して指窓８が設けられグリップ２を握り易くできる。
【００１５】
然して自動販売機１５は図３に示すように、脚部１６にボルト１７が設けられ、調整板１８を介して基礎コンクリートの角型ブロック２０に設けられたアンカーボルト１９に固定されることで据付けられる。
【実施例２】
【００１６】
図２は請求項２の実施例の斜視図である。
実施例１と同様バケット１は厚さ１．６mmの鉄板で作られ、幅１０５mm、長さ１５０mm,深さ５０mm,そして側面５が底面３に対して直角に設けられる。
グリップ２は直径３８mmで、刃先４と直角で底面３と平行又は延長した位置に設けられ、グリップ２から底面３の刃先４の方向に推力が働くようになっている。
グリップ２は柄９を継ぎ足すことができる。
【産業上の利用可能性】
【００１７】
コンクリートの現場打ちがなされる、自動販売機等小型機器の据付け現場の基礎コンクリート用の角穴は勿論、地面に角型の木枠、装置、容器等を嵌める場合の下穴を設ける用途、園芸用その他角穴の掘削に適用できる。
上記では角型ブロック１７を１個ずつ作成する実施例について説明したがこれに限定されず、必要に応じてアンカーボルト１９を２個以上設けたもの、及び又角型ブロック２０が一体に繋がった態様で設けることができることは云うまでもない。
【図面の簡単な説明】
【００１８】
【図１】手掘り用スコップの態様を示した斜視図である。    実施例１
【図２】手掘り用スコップの態様を示した斜視図である。    実施例２
【図３】自動販売機の据付の態様を示した斜視図である。
【図４】従来の角穴の掘削を示した説明図である。
【図５】この考案の実施態様で角穴の掘削を示した説明図である。
【符号の説明】
【００１９】
１．  スコップ（バケット）
２．  グリップ
３．  底面
４．  刃先
５．  側面
６．  切込み
７．  掬い角
８．  指窓
９．  柄
１０．  剣型スコップ
１１．  罫書
１２．  粗堀り
１３．  隅
１４．  角穴
１５．  自動販売機
１６．  脚部
１７．  ボルト
１８．  調整板
１９．  アンカーボルト
２０．  角型ブロック
【図１】
0003105836.tif 000003
【図２】
0003105836.tif 000004
【図３】
0003105836.tif 000005
【図４】
0003105836.tif 000006
【図５】
0003105836.tif 000007